(57)【要約】【課題】糸切れが生じることなく編地の分岐部を補強することができる編地の編成方法を提供する。【解決手段】左境界線７Ｌを折り返し端として、右方外部領域７２ｏおよび左方内部領域７１ｉでニットし、右方内部領域７２ｉでミスする折り返し編成を行なう（工程α）。右境界線７Ｒを折り返し端として、左方外部領域７１ｏおよび右方内部領域７２ｉでニットし、左方内部領域７１ｉでミスする折り返し編成を行なう（工程β）。左方内部領域７１ｉに編成した編目からなる左方ユニット２０Ｌと、右方内部領域７２ｉに編成した編目からなる右方ユニット２０Ｒの左右位置を入れ換える（工程γ）。左方外部領域７１ｏおよび左方内部領域７１ｉでニットすると共に、そのニットとは独立して右方外部領域７２ｏおよび右方内部領域７２ｉでニットすることで、編地を分岐させる（工程δ）。【選択図】図３
2014181423.tif 000002
【特許請求の範囲】
【請求項１】
少なくとも前後一対の針床を備え、前後いずれかの針床が左右にラッキング可能で、かつ前後の針床間で編目の目移しが可能な横編機を用いて、編地のウエール方向の途中で編地が左右に分岐する分岐部を補強する編地の編成方法において、
複数の編目からなるベース編目列が係止される一方の針床において、前記分岐部の左右の境界となる分岐境界線と、前記分岐境界線よりも左方に位置する左境界線と、前記分岐境界線よりも右方に位置する右境界線と、を設定し、
前記左境界線よりも左方を左方外部領域、前記左境界線と前記分岐境界線との間を左方内部領域、前記分岐境界線と前記右境界線との間を右方内部領域、前記右境界線よりも右方を右方外部領域としたとき、
前記左境界線を折り返し端として、前記右方外部領域および前記左方内部領域でニットし、前記右方内部領域でミスする折り返し編成を行なう工程αと、
前記右境界線を折り返し端として、前記左方外部領域および前記右方内部領域でニットし、前記左方内部領域でミスする折り返し編成を行なう工程βと、
前記工程αで前記左方内部領域に編成した編目からなる左方ユニットと、前記工程βで前記右方内部領域に編成した編目からなる右方ユニットの左右位置を入れ換える工程γと、
前記工程γの後に、前記左方外部領域および前記左方内部領域でニットすると共に、そのニットとは独立して前記右方外部領域および前記右方内部領域でニットすることで、編地を分岐させる工程δと、
を行なうことを特徴とする編地の編成方法。
【請求項２】
前記ベース編目列を編成する際、
前記左境界線を挟んで前記左境界線に近接する一対の編目が係止される位置でミスし、前記右境界線を挟んで前記右境界線に近接する一対の編目が係止される位置でミスする工程εを行なうことを特徴とする請求項１に記載の編地の編成方法。
【請求項３】
前記ベース編目列の一段下の前段編目列を編成する際、
前記左境界線を挟んで左右対称の位置にある一対の起点編目を選択し、それら起点編目に割増しを行なった後、前記左境界線よりも左方にある前記起点編目を前記左境界線よりも右方にある編目に重ね合わせると共に、前記左境界線よりも右方にある前記起点編目を前記左境界線よりも左方にある編目に重ね合わせ、両起点編目を交差させる工程ζと、
前記右境界線を挟んで左右対称の位置にある一対の起点編目を選択し、それら起点編目に割増しを行なった後、前記右境界線よりも左方にある前記起点編目を前記右境界線よりも右方にある編目に重ね合わせると共に、前記右境界線よりも右方にある前記起点編目を前記右境界線よりも左方にある編目に重ね合わせ、両起点編目を交差させる工程ηと、
を行なうことを特徴とする請求項２に記載の編地の編成方法。
【発明の詳細な説明】
【技術分野】
【０００１】
本発明は、編地のウエール方向の途中で編地が左右に分岐する分岐部を補強する編地の編成方法に関する。
【背景技術】
【０００２】
横編機を用いて編地を編成する際、編地のウエール方向の途中で編地を左右に分岐させることが行われている。例えば、特許文献１には、Ｖネックベスト（編地）を編成する際、ネックホールの下端、即ち編地が左右に分岐する根元の位置にある分岐部を補強する編地の編成方法が開示されている。
【０００３】
特許文献１では、まず分岐部の直前まで編地を編成した後、その編地の裏側に左右一対の編目列（以下、各編目列を左方ユニットおよび右方ユニットとする）を編成している。左方ユニットは分岐部の左右の境界となる分岐境界線の左方に位置し、右方ユニットは分岐境界線の右方に位置する。そして、特許文献１では、それら左方ユニットと右方ユニットの左右位置を入れ替えて両ユニットを交差させることで分岐部を補強している。
【先行技術文献】
【特許文献】
【０００４】
【特許文献１】特開２０１１−２５２２５９号公報
【発明の概要】
【発明が解決しようとする課題】
【０００５】
近年、横編機の発達に伴い、細い編糸を用いて細かな編目を編成することが行われている。その場合、特許文献１の編地の編成方法では、左方ユニットと右方ユニットの移動の際に糸切れが生じる可能性が懸念される。そのため、特許文献１とは異なる手法で分岐部を補強することができる編地の編成方法を開発することが望まれている。
【０００６】
本発明は上記事情に鑑みてなされたもので、その目的は、糸切れが生じることなく編地の分岐部を補強することができる編地の編成方法を提供することにある。
【課題を解決するための手段】
【０００７】
本発明は、少なくとも前後一対の針床を備え、前後いずれかの針床が左右にラッキング可能で、かつ前後の針床間で編目の目移しが可能な横編機を用いて、編地のウエール方向の途中で編地が左右に分岐する分岐部を補強する編地の編成方法に係る。この本発明の編地の編成方法は、次の設定のもと下記工程α〜工程δを行うことを特徴とする。
[設定]…複数の編目からなるベース編目列が係止される一方の針床において、分岐部の左右の境界となる分岐境界線と、分岐境界線よりも左方に位置する左境界線と、分岐境界線よりも右方に位置する右境界線と、を設定する。そして、左境界線よりも左方を左方外部領域、左境界線と分岐境界線との間を左方内部領域、分岐境界線と右境界線との間を右方内部領域、右境界線よりも右方を右方外部領域とする。
[工程α]…左境界線を折り返し端として、右方外部領域および左方内部領域でニットし、右方内部領域でミスする折り返し編成を行なう。
[工程β]…右境界線を折り返し端として、左方外部領域および右方内部領域でニットし、左方内部領域でミスする折り返し編成を行なう。
[工程γ]…工程αで左方内部領域に編成した編目からなる左方ユニットと、工程βで右方内部領域に編成した編目からなる右方ユニットの左右位置を入れ換える。
[工程δ]…工程γの後に、左方外部領域および左方内部領域でニットすると共に、そのニットとは独立して右方外部領域および右方内部領域でニットすることで、編地を分岐させる。
なお、本発明の編地の編成方法において、工程αと工程βはどちらを先に行ってもかまわない。
【０００８】
本発明の編地の編成方法として、ベース編目列を編成する際、下記工程εを行う形態を挙げることができる。
[工程ε]…左境界線を挟んで左境界線に近接する一対の編目が係止される位置でミスし、右境界線を挟んで右境界線に近接する一対の編目が係止される位置でミスする。
【０００９】
工程εを行う本発明の編地の編成方法として、さらにベース編目列の一段下の前段編目列を編成する際、下記工程ζ，工程ηとを行う形態を挙げることができる。
[工程ζ]…左境界線を挟んで左右対称の位置にある一対の起点編目を選択し、それら起点編目に割増しを行なった後、左境界線よりも左方にある起点編目を左境界線よりも右方にある編目に重ね合わせると共に、左境界線よりも右方にある起点編目を左境界線よりも左方にある編目に重ね合わせ、両起点編目を交差させる。
[工程η]…右境界線を挟んで左右対称の位置にある一対の起点編目を選択し、それら起点編目に割増しを行なった後、右境界線よりも左方にある起点編目を右境界線よりも右方にある編目に重ね合わせると共に、右境界線よりも右方にある起点編目を右境界線よりも左方にある編目に重ね合わせ、両起点編目を交差させる。
なお、選択される起点編目は、左境界線（右境界線）に近接する編目であっても良いし、左境界線（右境界線）から１〜２目分離隔した編目であっても良い。
【００１０】
ここで、割増しとは、一方の針床に係止される起点編目を他方の針床に目移しすると共に、その起点編目から引き出される新規編目を一方の針床に形成する公知の編成動作である（特許第２６０４６５３号公報などを参照）。例えば、一方の針床の編針Ｘに係止される起点編目に割増しを行なえば、起点編目は他方の針床の編針Ｙ（編針Ｘに対向する編針）に移動し、編針Ｘには起点編目から引き出される新規編目が形成される。
【発明の効果】
【００１１】
本発明の編地の編成方法によれば、左方ユニットと右方ユニットの交差により分岐部を補強することができる。また、左方ユニットと右方ユニットの交差の際に、両ユニットの移動を容易に行うことができる。それは、本発明の編地の編成方法の工程αと工程βにおいて、従来であれば折り返し編成を行なわない箇所で折り返し編成を行なっており、そのため分岐境界線、左境界線、および右境界線のいずれにおいても、境界線を挟んで隣接する編目同士が直接繋がらないからである。
【００１２】
工程εを行う本発明の編地の編成方法によれば、左方ユニットと右方ユニットとを移動させる際の応力を分散させることができ、糸切れを抑制できる。また、本発明の編地の編成方法で編成された編地においても、応力の分散効果、糸切れ抑制効果は発揮される。
【００１３】
工程εに加えて工程ζおよび工程ηを行う本発明の編地の編成方法によれば、左境界線の位置、および右境界線の位置のそれぞれで、一対の起点編目が交差されているため、両ユニットを移動させる際に当該位置で糸切れが生じることを抑制できる。
【図面の簡単な説明】
【００１４】
【図１】実施形態１に示すベストの概略図である。
【図２】ベストのネックホールの下端に形成される分岐部の部分拡大写真を示す図である。
【図３】分岐部の編成手順を示す編成工程図である。
【図４】分岐部を複数形成する場合の境界線と領域の設定例を示す模式図である。
【発明を実施するための形態】
【００１５】
以下、本発明の編地の編成方法の実施形態を図面に基づいて説明する。実施形態では、左右方向に延び、かつ、前後方向に互いに対向する前針床（以下、ＦＢ）と後針床（以下、ＢＢ）を備え、ＢＢが左右にラッキング可能な２枚ベッド横編機を用いた編成例を説明する。もちろん、使用する横編機は、２枚ベッド横編機に限定されるわけではなく、４枚ベッド横編機であっても良い。
【００１６】
＜実施形態１＞
≪全体構成≫
図１に示すＶネックベスト１００は、前身頃１００Ｆと後身頃１００Ｂとを備える。Ｖネックベスト１００のアームホールの下端から上端に至る部分は、前身頃１００Ｆと後身頃１００Ｂとが繋がっていない。このＶネックベスト１００では、ネックホールの下端の位置に相当する分岐部の位置で左右に分岐しており、その分岐部の補強に本発明の編地の編成方法を適用している。本発明の編地の編成方法を適用することで、図２の拡大写真に示すように、分岐部の位置で編地の一部が交差し、分岐部が補強されている。
【００１７】
≪編成手順≫
上記分岐部の編成手順を図３に示す編成工程図に基づいて説明する。図３の左欄の「Ｓ＋数字」は編成工程の番号を示し、右欄には各編成工程における編目の係止状態が示されている。右欄の黒点はＦＢおよびＢＢに備わる編針、○は旧編目、●は各編成工程で新たに編成される編目、◎は重ね目、矢印は編目の目移しの方向を示す。また、右欄の大文字アルファベットＡ〜Ｐは編針の位置を示す。
【００１８】
Ｓ０には、ＦＢの編針Ａ〜Ｐに、図１に示す前身頃１００Ｆのうち、分岐部よりも下側の編目列が係止された状態が示されている。このＳ０の状態から、Ｓ１〜Ｓ３に示すように前身頃１００Ｆの編目列を二段分編成した後、Ｓ４以降に示すように分岐部を形成すると共に分岐部の補強を行なう。なお、Ｓ１〜Ｓ３に示す編成は、分岐部の補強効果を向上させる追加の編成であって、行なわなくても構わない。
【００１９】
分岐部の補強にあたって、まずＦＢにおける分岐部の左右の境界となる分岐境界線７Ｃを設定すると共に、分岐境界線７Ｃの左方および右方にそれぞれ左境界線７Ｌおよび右境界線７Ｒを設定する。そして、便宜上、左境界線７Ｌよりも左方を左方外部領域７１ｏ、左境界線７Ｌと分岐境界線７Ｃとの間を左方内部領域７１ｉ、分岐境界線７Ｃと右境界線７Ｒとの間を右方内部領域７２ｉ、右境界線７Ｒよりも右方を右方外部領域７２ｏとする。左境界線７Ｌおよび右境界線７Ｒの位置は任意に選択することができる。例えば、本例では左方内部領域７１ｉ（右方内部領域７２ｉ）に三目の編目が含まれるように左境界線７Ｌ（右境界線７Ｒ）が設定されている。左方内部領域７１ｉ（右方内部領域７２ｉ）に含まれる編目の数が多くなるほど、分岐部の補強効果は増す。
【００２０】
Ｓ１では、給糸口Ｙ１を紙面左方向に移動させ、ＦＢの編針Ｐ〜Ａに係止される編目のウエール方向に続く編目を編成する。その際、編針Ｍ，Ｊ，Ｇ，Ｄに係止される起点編目４，３，２，１に対して割増しを行なう（本発明における工程ζの一部、および工程ηの一部に相当）。割増しを行うことで、Ｓ０においてＦＢの編針Ｄ，Ｇ，Ｊ，Ｍに係止されていた起点編目１，２，３，４は、ＢＢの編針Ｄ，Ｇ，Ｊ，Ｍに目移しされる。また、ＦＢの編針Ｄ，Ｇ，Ｊ，Ｍには、起点編目１，２，３，４から引き出された新規編目が係止された状態となる。なお、Ｓ１で選択する起点編目は、本例の位置よりも境界線寄りの編目であっても良いし、境界線から離れた編目であっても良い。例えば、起点編目１は、ＦＢの編針Ｅの編目であっても良いし、編針Ｃ，Ｂの編目であっても良い。
【００２１】
Ｓ２では、ＢＢの編針Ｄ，Ｇ，Ｊ，Ｍに係止される編目１，２，３，４をそれぞれ、ＦＢの編針Ｆ，Ｅ，Ｌ，Ｋの編目５，６，７，８に重ねる（本発明における工程ζの残部、および工程ηの残部）。その結果、ＦＢに係止される編目列３０（前段編目列）では、Ｓ１において左境界線７Ｌ（右境界線７Ｒ）を挟んで左右対称にＢＢに配置されていた二つの起点編目１，２（３，４）同士が左境界線７Ｌ（右境界線７Ｒ）を跨いで交差した状態となる。
【００２２】
Ｓ３では、給糸口Ｙ１を右方向に移動させ、ＦＢの編針Ａ〜Ｄ，Ｇ〜Ｊ，Ｍ〜Ｐの編目のウエール方向に続く編目を編成する。つまり、Ｓ３においてＦＢに係止される編目列３１（ベース編目列）を編成する際、左境界線７Ｌ（右境界線７Ｒ）を挟んで左境界線７Ｌ（右境界線７Ｒ）に近接する一対の編目９，１０（１１，１２）に対してミスしている（本発明における工程ε相当）。なお、本実施形態においては、編目９〜１２は重ね目である。
【００２３】
Ｓ４では、給糸口Ｙ１を左方向に移動させ、ＦＢの編針Ｐ〜Ｌの編目、編針Ｋ〜Ｉの編目、および編針Ｈ〜Ｆの編目に対してそれぞれニット、ミス、およびニットする。また、Ｓ５では、給糸口Ｙ１を右方向に移動させ、ＦＢの編針Ｆ〜Ｈの編目、編針Ｉ〜Ｋの編目、および編針Ｌ〜Ｐの編目に対してそれぞれニット、ミス、およびニットする。つまり、これらＳ４，Ｓ５では、左境界線７Ｌを折り返し端とする折り返し編成を行う際、右方外部領域７２ｏおよび左方内部領域７１ｉでニットし、右方内部領域７２ｉでミスを行なっている（本発明の工程α）。なお、左境界線７Ｌを折り返し端とする折り返し編成では、折り返し編成の往路の終端編目と復路の始端編目が共に、左境界線７Ｌの右方に近接して形成される。
【００２４】
Ｓ６では、給糸口Ｙ２を右方向に移動させ、ＦＢの編針Ａ〜Ｅの編目、編針Ｆ〜Ｈの編目、および編針Ｉ〜Ｋの編目に対してそれぞれニット、ミス、およびニットする。また、Ｓ７では、給糸口Ｙ２を左方向に移動させ、ＦＢの編針Ｋ〜Ｉの編目、編針Ｈ〜Ｆの編目、および編針Ｅ〜Ａの編目に対してそれぞれニット、ミス、およびニットする。つまり、これらＳ６，Ｓ７では、右境界線７Ｒを折り返し端とする折り返し編成を行う際、左方外部領域７１ｏおよび右方内部領域７２ｉでニットし、左方内部領域７１ｉでミスを行なっている（本発明の工程β）。なお、右境界線７Ｒを折り返し端とする折り返し編成では、折り返し編成の往路の終端編目と復路の始端編目が共に、右境界線７Ｌの左方に近接して形成される。
【００２５】
Ｓ８では、Ｓ５において左方内部領域７１ｉに編成された左方ユニット２０Ｌと、Ｓ７において右方内部領域７２ｉで編成された右方ユニット２０Ｒと、をＢＢに目移しする。そして、Ｓ９では、左方ユニット２０Ｌと右方ユニット２０Ｒの左右位置を入れ換える。その際、各ユニット２０Ｌ，２０Ｒを構成する個々の編目の並びは変更しない。ここで、左境界線７Ｌを折り返し端とする折り返し編成（Ｓ４，Ｓ５参照）と、右境界線７Ｒを折り返し端とする折り返し編成を（Ｓ６，Ｓ７参照）行なっている。そして、それら折り返し編成を行なうことで、各境界線７Ｌ，７Ｃ，７Ｒを挟む一対の編目が直接繋がっていない状態となっている（Ｓ７における編糸の繋がりを参照のこと）。そのため、左方ユニット２０Ｌと右方ユニット２０Ｒの左右位置を入れ替える際、ユニット２０Ｌ，２０Ｒを移動させても、各境界線７Ｌ，７Ｃ，７Ｒの位置で糸切れが生じ難い。
【００２６】
ここで、本例では、Ｓ３に示す編成（境界線の位置でミスをする編成）と、Ｓ１，Ｓ２に示す編成（境界線の位置で編目を交差させる編成）を行なうことで、ユニット２０Ｌ，２０Ｒの移動に伴う糸切れの発生を抑制している。
【００２７】
まずＳ３に示す編成を行なうことで、ユニット２０Ｌ，２０Ｒの移動に伴う応力を編地の広範囲に分散させることができる。例えば、Ｓ３に示す編成を行なわなかった場合、Ｓ３における編目９，１０（１１，１２）のウエール方向にも編目が形成され、それらの編目が編幅方向に繋がった状態になる。その場合、左方ユニット２０Ｌを移動させたときの応力は、ベース編目列３１における左境界線７Ｌ（右境界線７Ｒ）の近傍に集中する。これに対して、Ｓ３に示す編成を行なうことで、当該応力は、ベース編目列３１における左境界線７Ｌ（右境界線７Ｒ）の近傍だけでなく、ベース編目列３１の一段下の前段編目列３０の左境界線７Ｌ（右境界線７Ｒ）にも作用する。即ち、当該応力が二段の編目列に分散する。
【００２８】
また、Ｓ１，Ｓ２に示す編成を行なうことで、前段編目列３０の左境界線７Ｌ（右境界線７Ｒ）の部分を、編目の交差によって補強することができる。上述したように、Ｓ３に示す編成を行なうことで、ユニット２０Ｌ，２０Ｒの移動に伴う応力は、前段編目列３０における左境界線７Ｌ（右境界線７Ｒ）に分散される。言い換えれば、前段編目列３０における左境界線７Ｌ（右境界線７Ｒ）に応力が作用する状態となっている。これに対して、Ｓ１，Ｓ２に示す編成を行なうことで、前段編目列３０の左境界線７Ｌ（右境界線７Ｒ）の部分が補強されているため、当該部分における糸切れが抑制される。
【００２９】
Ｓ９以降は、左方外部領域７１ｏおよび左方内部領域７１ｉでニットすると共に、そのニットとは独立して右方外部領域７２ｏおよび右方内部領域７２ｉでニットすることで、編地を分岐させる（本発明における工程δ相当）。
【００３０】
以上説明した編成工程に従えば、分岐部を補強する際に糸切れが極めて生じ難い。また、完成した編地を編幅方向に引っ張ったときにも分岐部で糸切れが生じ難い。
【００３１】
なお、袖付きのセーターを編成する場合、一つの給糸口で分岐部の編成と補強を行なうこともできる。その場合、図３のＳ５の後に、給糸口Ｙ１を左方向に移動させてセーターの後身頃を編成する。そして、その給糸口Ｙ１を用いてＳ６以降の編成を行なえば良い。
【００３２】
＜実施形態２＞
実施形態１では、ＦＢに係止されるベース編目列３１に対して一つの分岐部を形成する例を説明した。これに対して、ベース編目列３１に二つ以上の分岐部を形成しても構わない。図４は、ベース編目列３１に二つの分岐部を形成する場合の領域の設定例を示す模式図である。
【００３３】
図４に示すように、ベース編目列が係止されるＦＢに対して、分岐境界線７Ｃ、左境界線７Ｌ、および右境界線７Ｒが二つずつ設定されている。この場合、紙面左側の右境界線７Ｒと右側の左境界線７Ｌとの間は、左側の分岐部の右方外部領域７２ｏであり、右側の分岐部の左方外部領域７１ｏでもあると見做し、本発明の編地の編成方法を実施する。
【符号の説明】
【００３４】
１００  Ｖネックベスト（編地）
１００Ｆ  前身頃  １００Ｂ  後身頃
１〜８  編目  ９〜１２  重ね目（編目）
２０Ｌ  左方ユニット  ２０Ｒ  右方ユニット
３０  前段編目列  ３１  ベース編目列
７Ｃ  分岐境界線  ７Ｌ  左境界線  ７Ｒ  右境界線
７１ｏ  左方外部領域  ７１ｉ  左方内部領域
７２ｉ  右方内部領域  ７２ｏ  右方外部領域
Ｙ１，Ｙ２  給糸口
ＦＢ  前針床  ＢＢ  後針床
【図１】
2014181423.tif 000003
【図３】
2014181423.tif 000004
【図４】
2014181423.tif 000005
【図２】
2014181423.tif 000006